(57)【要約】【課題】  石膏板等の不燃板の表面に表面材を貼着したパネルをスタッドを介して配列して成る薄くて耐火機能に優れた耐火間仕切り装置のパネル連結構造の提供。【解決手段】  スタッド２は複数枚の石膏板９，９・・を積層すると共に間には金属製の補強鋼板１０，１０を設け、パネル側端部に形成した嵌合溝に隙間なくスタッド２を嵌合し、上記表面材８，８の側端を屈曲して設けた止着片１１，１１を目地ジョイント１２を介してスタッド２にネジ止めしている。【選択図】    図２
2008208531.tif 000002
【特許請求の範囲】
【請求項１】
石膏板等の不燃板の表面に表面材を貼着したパネルをスタッドを介して配列して成る耐火間仕切り装置のパネル連結構造において、上記スタッドは複数枚の不燃板を積層すると共に間には金属製の補強材を設け、パネル側端部に形成した嵌合溝に隙間なくスタッドを嵌合し、上記表面材の側端を屈曲して設けた止着片を目地ジョイントを介してスタッドに取付けたことを特徴とする耐火間仕切り装置のパネル連結構造。
【請求項２】
上記目地部の隙間には綿状の断熱材を充填した請求項１記載の耐火間仕切り装置のパネル連結構造。
【請求項３】
石膏板等の不燃板の表面に表面材を貼着したパネルを連結する為の耐火間仕切り装置のスタッドにおいて、該スタッドは複数枚の不燃板を積層し、不燃板の間には金属製の補強材を介在したことを特徴とする耐火間仕切り装置のスタッド。
【発明の詳細な説明】
【技術分野】
【０００１】
本発明は火災が発生した場合に隣の部屋が延焼しないような耐火機能を備えた間仕切り装置のパネル連結構造及びスタッドに関するものである。
【背景技術】
【０００２】
近年の建物は大きなフロアーを間仕切り装置によって仕切り、用途に応じた大きさの部屋空間を作ることが出来る。間仕切り装置の形態は色々知られているが、基本的には床に敷設した床レールにアジャスターを介して巾木を取付け、天井には天井レールを設け、巾木にパネルを載置すると共にその上端は天井レールに嵌り、各パネルの間にはスタッドが介在している。そして、パネル側端はスタットと連結した構造と成っている。
【０００３】
ここで、パネルはペーパーコアに表面材を貼着したもの、又は石膏ボードに表面材を貼着した場合などが主な形態であり、スタッドはアルミニウムの押出し材が使用される場合や金属板を曲げ成形したものが大半である。ところで、このような構造の間仕切り装置の場合、部屋で火災が発生するならば、間仕切り装置のパネルやスタッドは加熱され、反対側へ熱は直ちに伝達してしまう。すなわち、建築基準法で規定している耐火性能の条件を満たすことは出来ない。
【０００４】
このように、間仕切り装置でフロアーを仕切ることで各部屋を作る場合には、火災時の延焼を防止できる耐火構造とすることが望ましい。そこで、従来においても耐火構造の間仕切りは知られている。
特開昭５８−２０７４３９号に係る「耐火構造間仕切り壁」は、株式会社コマツパーティション(コマニー株式会社の旧名称)が開発した間仕切り壁であるが、構造が複雑であり、又その為に間仕切り壁は一般の間仕切り壁に比較して非常に厚くなってしまう。
【０００５】
又、特開平３−２６２８５３号に係る「耐火間仕切りパネル」は、建物に着脱に取り付ける取付けレールと、該取付けレールに着脱自在に取り付ける分離可能な周枠と、該周枠の両面にネジ止めするパネル板とを備え、該パネル板と前記周枠とは、不燃性の断熱材からなっている。
【０００６】
この耐火間仕切りにしても両面側のパネル板の間にはロックウールを充填した構造である為に、その厚さは大きくなっている。又、パネルを支持する中間支枠や周枠は石膏ボードから成っているが、火災時の高熱によって崩れる虞があり、厚さが大きい割には強度的な問題も残されている。
【特許文献１】特開昭５８−２０７４３９号に係る「耐火構造間仕切り壁」
【特許文献２】特開平３−２６２８５３号に係る「耐火間仕切りパネル」
【発明の開示】
【発明が解決しようとする課題】
【０００７】
このように、従来の耐火間仕切り装置には上記のごとき問題がある。本発明が解決しようとする課題はこれら問題点であり、厚さを薄くすると共に耐火性能及び強度に優れた間仕切り装置のパネル連結構造、及び耐火間仕切り装置を構成するスタッドを提供する。
【課題を解決するための手段】
【０００８】
本発明に係る耐火間仕切り装置はスタッドを介してパネルを連結しており、基本的な構造は従来の一般的な間仕切り装置と共通している。しかし、本発明の間仕切り装置は耐火機能に優れるように構成した構造であり、パネルは石膏板等の不燃板を用い、表面には金属製の表面材を貼着している。ここで、パネルの表面材は不燃板の両面に貼着する場合と片面に貼着して２枚のパネル片を突き合わせて使用する場合とがある。
【０００９】
そして、スタッドは複数枚の不燃板を積層して構成し、各層の間には金属製の補強材を挟み込んだ構造としている。ところで、隣り合う上記パネルは間にスタッドが介在してパネルが連結されるが、パネル側端部に嵌合溝を設けてスタッドを嵌合することで間には隙間が発生しないように連結されるが、連結手段としては表面材をパネル側端に屈曲して形成し止着片をネジ止めなどにて固定した構造としている。
【発明の効果】
【００１０】
本発明に係る耐火間仕切り装置は、不燃板に表面材を貼着したパネル構造であり、火災時の高温に対しての耐久性は十分である。そして、表面材は金属製で両面に設けられている為に、高温下で崩れることもない。又、隣り合う両パネル間に起立するスタッドは、不燃板を積層したものであり、パネル側端部に形成した嵌合溝に嵌ることで隙間なく連結した構造となっている。
【００１１】
従って、火災時の高熱が隣り合うパネルの連結部から侵入して延焼を引き起こすことはなく、そしてスタッドの積層不燃板の間には金属製の補強材が介在していることで、該スタッドが高温で崩れ落ちることもない。更に、本発明の間仕切り装置はパネル間にロックウールなどの断熱材料を充填した構造ではない為にその厚さは薄くなる。すなわち、厚さが薄くても耐火性能に優れた間仕切り装置となる。
【実施例】
【００１２】
図１は本発明に係る耐火間仕切り装置のパネル連結構造を示している実施例である。同図の１はパネル、２はスタッド、３は天井レール、４は床レール、５は巾木、６は側壁レールを夫々表している。各部材の材質や構造は異なるが、間仕切り装置としての基本構造は従来の一般的な間仕切り装置と共通している。すなわち、隣り合うパネル１，１はスタッド２にて連結され、巾木５に載ったパネル１の上端は天井レール３に嵌り、パネル側端は側壁レール６に挟まれている。
【００１３】
図２はパネル１ａ，１ｂの連結構造を表している横断面であり、隣り合うパネル１ａ，１ｂはスタッド２を介して連結している。ここで、パネル１は長方形の石膏板７に金属製の表面材８を貼着したものであり、該表面材８としては鋼板を使用している。
【００１４】
ところで、スタッド２は３枚の石膏板９，９，９が積層し、各石膏板９，９，９の間には金属製の補強鋼板１０，１０が介在している。勿論、補強鋼板１０，１０は石膏板９，９，９と接着剤にて接着されて、一体化したスタッド２として構成している。このように、スタッド２を複数枚の石膏板９，９・・を積層すると共に間に補強鋼板１０，１０を介在した構造とすることで、火災時の高熱によって崩れることはない。すなわち、耐火性と強度を兼ねたスタッド構造とし、厚さが薄い耐火間仕切り装置を構成できる。
【００１５】
石膏板７の表面に表面材８を貼着したパネル１ａ，１ｂは、スタッド２にネジ止めされているが、表面材８の側端には止着片１１を形成している。該止着片１１はＬ形を成し、隣り合うパネル１ａ，１ｂの止着片１１，１１の間に目地ジョイント１２が係合してネジ止めされている。そして、目地ジョイント１２の内部には綿状のセラミックファイバーブランケット１３が充填されている。
【００１６】
表面材８は石膏板７の側端から延びて上記止着片１１を形成しているが、上記スタット２との間には別な石膏板１５が嵌っている。すなわち、表面材８を外側へ延ばしてもスタッド２との間に隙間が出来ないように石膏板１５を嵌めている。ここで、同図のパネル１ａ，１ｂは石膏板７の片面に表面材８を貼着したパネル片１４ａ，１４ｂの背面同士を突き合わせた状態で据付けされているが、一枚の厚い石膏板の両面に表面材８，８を貼着して構成したパネル１ａ，１ｂとしてもよい。
【００１７】
このように、本発明の耐火間仕切り装置のパネルは内部にロックウールなどを充填していなく、その厚さは薄くなり、又石膏板９，９・・の間に補強鋼板１０，１０・・を介在して積層した構造のスタッド強度も高く、間仕切り装置の厚さは薄く出来る。
【００１８】
図３はパネル連結構造を表している他の実施例である。両パネル１ａ，１ｂを連結するスタッド２の形態は図１の間仕切りの場合と同じであるが、パネル１ａ，１ｂの構造が違っている。該パネル１ａ，１ｂはパネル片１４ａ，１４ｂを組み合わせた構造ではなく、厚い石膏板７の両面に表面材８，８を貼着して構成している。
【００１９】
そして、側端部には石膏板７を切欠いて嵌合溝を形成し、この嵌合溝にスタッド２が嵌っている。すなわち、パネル１ａ，１ｂの側端部の嵌合溝にスタッド２の両側部が嵌合した状態で配置され、止着片１１，１１が目地ジョイント１２を介してネジ止めされている。ここで、該ネジの先端はスタッド２を貫通することはなく、しかも両面側から螺合される各ネジが接することがないように、高さを調整している。
【００２０】
図４は本発明に係る耐火間仕切り装置のパネル連結構造を示す他の実施例である。このパネル連結構造の基本構造は前記図２、図３の場合と同じであるが、スタッド２に設けている補強の形態を異にしている。スタッド２は２枚の石膏板９ａ，９ｂ，９ｃが積層した構造であって、中央の石膏板９ｂを抱くようにコ形断面の補強鋼材１６が接着されている。勿論、石膏板９ａも補強鋼材１６に接着されている。
【００２１】
図４の（ｂ）は厚い石膏板７の両面に表面材８，８を貼着して構成している。そして、側端部には石膏板７を切欠いて嵌合溝を形成し、この嵌合溝にスタッド２が嵌っている。すなわち、パネル１ａ，１ｂの側端部の嵌合溝にスタッド２の両側部が嵌合した状態で配置され、止着片１１，１１が目地ジョイント１２を介してネジ止めされた連結構造である。
【００２２】
図５は更に別の実施例を示しているパネル連結構造である。パネル連結構造の基本構成は前記図２、図３と同じであるがスタッド２の形態が異なり、３枚の石膏板９ａ，９ｂ，９ｃが積層されたスタッド２はその両側の石膏板９ａ，９ｃにはコ形断面の補強鋼材１６ａ，１６ｃが組み合わされている。すなわち、コ形断面の補強鋼材１６ａ，１６ｃにて石膏板９ａ，９ｃが抱かれた状態で接着され、同じく中央の石膏板９ｂも両補強鋼材１６ａ，１６ｃに接着している。
【００２３】
図５（ｂ）のパネル連結構造は、厚い石膏板７の両面に表面材８，８を貼着した場合であり、石膏板７の側端部に設けた嵌合溝にスタッド２が嵌合している場合であり、スタッド２の形態は図５（ａ）と同じ構造となっている。勿論、図２、図４（ａ）、図５（ａ）の場合は、両パネル片１４ａ，１４ｂの背面が互いに接合した状態で組み合わされ、組み合わされたパネル１ａ，１ｂの側端部の嵌合溝にスタッド２が隙間なく嵌っている。
【００２４】
図６も別の実施例を示しているパネル連結構造である。基本的な構造は前記図２、図３と同じであるが、スタッド２の形態が異なり、３枚の石膏板９ａ，９ｂ，９ｃが積層されたスタッド２は、その中央の石膏板９ｂが長方形断面の補強鋼材１７に嵌っている。そして、両側の石膏板９ａ，９ｃは補強鋼材１７に接着している。図６（ｂ）のパネル連結構造は、厚い石膏板７の両面に表面材８，８を貼着した場合であり、石膏板７の側端部に設けた嵌合溝にスタッド２が嵌合しており、スタッド２の形態は図６（ａ）と同じ構造となっている。
【図面の簡単な説明】
【００２５】
【図１】本発明に係る耐火間仕切り装置の外観図。
【図２】本発明の耐火間仕切り装置のパネル連結構造。
【図３】本発明の耐火間仕切り装置のパネル連結構造。
【図４】本発明の耐火間仕切り装置のパネル連結構造。
【図５】本発明の耐火間仕切り装置のパネル連結構造。
【図６】本発明の耐火間仕切り装置のパネル連結構造。
【符号の説明】
【００２６】
１  パネル
２  スタッド
３  天井レール
４  床レール
５  巾木
６  側壁レール
７  石膏板
８  表面材
９  石膏板
10  補強鋼板
11  止着片
12  目地ジョイント
13  セラミックファイバーブランケット
14  パネル片
15  石膏板
16  補強鋼材
17  補強鋼材
【図１】
2008208531.tif 000003
【図２】
2008208531.tif 000004
【図３】
2008208531.tif 000005
【図４】
2008208531.tif 000006
【図５】
2008208531.tif 000007
【図６】
2008208531.tif 000008